(57)【要約】【課題】ベースフレームへ圧縮機を容易に取り付け可能な冷凍機器の提供。【解決手段】ベースフレーム１０３上に設置され圧縮機１０２の支持部１０２ａを装着するグロメット１０４と、前記グロメットの貫通孔に挿着したスリーブ１０５と、前記スリーブ内を貫通して前記ベースフレームに締め付け固定したボルト１０７と、前記ボルトの頭部とスリーブとの間に嵌め込まれ当該ボルトから前記グロメットが外れるのを防止して圧縮機をベースフレームに固定するＣリング１０８とを備えた構成としてある。これにより、予めベースフレームにボルトを単独で取りつけ、その後Ｃリングを横方向からボルトに嵌合させて圧縮機をベースフレームに保持することができるので、圧縮機のベースフレームへの取り付け作業が容易に行うことができる。【選択図】図３
2014115029.tif 000002
【特許請求の範囲】
【請求項１】
ベースフレーム上に圧縮機を装着支持するグロメットと、前記グロメットに挿着したスリーブと、前記スリーブ内を貫通して前記ベースフレームに締め付け固定したボルトと、前記ボルトの頭部とスリーブとの間に嵌め込まれ当該ボルトから前記グロメットが外れるのを防止して圧縮機をベースフレームに固定するＣリングとからなる冷蔵庫等の冷凍機器。
【請求項２】
ボルトとスリーブとの間にワッシャーが介在されていて、上記ワッシャーはその内径部がバーリング加工され、そのバーリングの外周部がスリーブの内周部に嵌り合っている請求項１記載の冷蔵庫等の冷凍機器。
【請求項３】
ワッシャーはその外径をグロメットの貫通孔内径より小さくした請求項１又は２記載の冷蔵庫等の冷凍機器。
【発明の詳細な説明】
【技術分野】
【０００１】
本発明は、圧縮機をベースフレームに固定した冷蔵庫等の冷凍機器に関するものである。
【背景技術】
【０００２】
従来、冷蔵庫等の冷凍機器は庫内を冷却するための部材として圧縮機が搭載されており、圧縮機は冷蔵庫下部のベースフレームに固定されている。
【０００３】
その固定方法は、一般的にネジ式のものである。例えば特許文献１では、ボルト・ナットで固定する仕様となっている。
【０００４】
さらに現状では、ベースフレームにバーリング＋ネジ加工を行うことにより、ナットを削減した仕様が一般的となりつつある。
【０００５】
以下、図面を参照しながら従来の冷蔵庫について説明する。
【０００６】
図５は従来の圧縮機をベースフレームに取り付けた状態を示す冷蔵庫の側面図、図６は従来の圧縮機を冷蔵庫のベースフレームに取り付けた状態を示すもので（ａ）は上面図、（ｂ）は側面図である。図７は取り付け部の詳細断面図、図８（ａ）〜（ｅ）は取り付け手順を説明する断面図である。
【０００７】
図５〜図８において、１は冷蔵庫本体、２は圧縮機、３はベースフレーム、４はグロメット、５はスリーブ、６はワッシャー、７はボルトである。
【０００８】
圧縮機２は、下部に支持部が形成され支持部にはグロメット４の取り付け穴が設けられている。ベースフレーム３のボルト挿入孔は、バーリング加工が施され、内径部はネジ加工されている。また、グロメット４は、ゴムなどの緩衝材料で形成され、内部にスリーブ５が挿入される貫通孔と、外径部には圧縮機の取り付け穴が取り付く括れ部を有している。ワッシャー６は、その外径がスリーブ５の外径より大きく、ボルト７を締めこむことでグロメット４が外れないように保持され、圧縮機２がベースフレーム３に固定される。
【０００９】
次に図８を用いて、圧縮機のベースフレームへの取り付け手順を説明する。
（ａ）予め、圧縮機２の支持部の取り付け穴にグロメット４を取り付ける。
（ｂ）その状態でベースフレーム３のボルト挿入孔の位置に設置する。
（ｃ）グロメット４内部にスリーブ５を装填する。
（ｄ）予め、ワッシャー６をボルト７に挿入する。
（Ｉ）ボルト７をスリーブ５内部に通して、インパクトレンチ等でベースフレーム３のボルト挿入孔に締めこむ。
【００１０】
以上の手順で圧縮機をベースフレームに取り付ける。
【先行技術文献】
【特許文献】
【００１１】
【特許文献１】特開２０１１−０８０７２８号公報
【発明の概要】
【発明が解決しようとする課題】
【００１２】
しかしながら上記従来の構成では、インパクトレンチ等でボルト１０７を取り付ける際に、インパクトレンチの本体部分が圧縮機１０２の本体部分側面に接触するためインパクトレンチが斜めとなり、作業性が悪いという課題を有していた。
【００１３】
本発明は上記従来の課題を解決するもので、圧縮機のベースフレームへの取り付けが容易に行える冷蔵庫等の冷凍機器を提供することを目的としている。
【課題を解決するための手段】
【００１４】
上記従来の課題を解決するために本発明は、ベースフレーム上に圧縮機を装着支持するグロメットと、前記グロメットに挿着したスリーブと、前記スリーブ内を貫通して前記ベースフレームに締め付け固定したボルトと、前記ボルトの頭部とスリーブとの間に嵌め込まれ当該ボルトから前記グロメットが外れるのを防止して圧縮機をベースフレームに固定するＣリングとからなる構成としてある。
【００１５】
これにより、予めベースフレームにボルトを単独で取りつけ、そのボルトにグロメット、圧縮機を装着した後、Ｃリングを横方向からボルトに嵌合させて圧縮機をベースフレームに保持することができるので、インパクトレンチ等によるボルトの締め付け作業に圧縮機が邪魔になることがなく、圧縮機のベースフレームへの取り付け作業を容易に行うことができる。
【発明の効果】
【００１６】
本発明は、圧縮機のベースフレームへの取り付け作業を容易に行うことができる冷蔵庫等の冷凍機器を提供することができる。
【図面の簡単な説明】
【００１７】
【図１】本発明の実施の形態１の冷凍機器となる冷蔵庫の圧縮機をベースフレームに取り付けた状態を示し、（ａ）は上面図、（ｂ）は側面図
【図２】同冷蔵庫の圧縮機取り付け用のワッシャー組込みボルトを示す拡大斜視図
【図３】同冷蔵庫の圧縮機とベースフレームとの固定関係を示す拡大断面図
【図４】（ａ）〜（ｅ）同冷蔵庫における圧縮機のベースフレームへの取り付け手順を示す断面図
【図５】従来の冷蔵庫の圧縮機をベースに取り付けた状態を示す側面図
【図６】同冷蔵庫の圧縮機をベースフレームに取り付けた状態を示し、（ａ）は上面図、（ｂ）は側面図
【図７】同冷蔵庫の圧縮機とベースフレームとの固定関係を示す拡大断面図
【図８】（ａ）〜（ｅ）同冷蔵庫における圧縮機のベースフレームへの取り付け手順を示す断面図
【発明を実施するための形態】
【００１８】
第１の発明は、ベースフレーム上に圧縮機を装着支持するグロメットと、前記グロメットに挿着したスリーブと、前記スリーブ内を貫通して前記ベースフレームに締め付け固定したボルトと、前記ボルトの頭部とスリーブとの間に嵌め込まれ当該ボルトから前記グロメットが外れるのを防止して圧縮機をベースフレームに固定するＣリングとからなる構成としてある。
【００１９】
これにより、予めベースフレームにボルトを単独で取りつけ、そのボルトにグロメット、圧縮機を装着した後、Ｃリングを横方向からボルトに嵌合させて圧縮機をベースフレームに保持することができるので、インパクトレンチ等によるボルトの締め付け作業に圧縮機が邪魔になることがなく、圧縮機のベースフレームへの取り付け作業を容易に行うことができる。
【００２０】
第２の発明は、第１の発明において、ボルトとスリーブとの間にワッシャーが介在されていて、前記ワッシャーはその内径部がバーリング加工され、そのバーリングの外周部がスリーブの内周部に嵌り合う構成としてある。
【００２１】
これにより、ボルトに対するスリーブの位置ばらつきが少なくなって圧縮機を取り付けるボルト止め箇所のピッチが安定するから、さらに圧縮機のベースフレームへの取り付け作業を容易に行うことができる。
【００２２】
第３の発明は、第２の発明において、ワッシャーはその外径をグロメットの貫通孔内径より小さくした構成としてある。
【００２３】
これにより、あらかじめベースフレームに締め付け固定したスリーブ付きのボルトにワッシャーを装着した状態のままグロメットを嵌合させることができ、スリーブ位置のばらつきを防止することができて、圧縮機の取り付け作業を更に容易化できる。
【００２４】
（実施の形態）
以下、図面を参照しながら冷蔵庫を例にして説明する。なお、この実施の形態では冷蔵庫を例にして説明するが、この実施の形態によって本発明が限定されるものではない。
【００２５】
図１は本発明の実施の形態１における冷蔵庫のベースフレームに圧縮機を取り付けた状態を示すもので（ａ）は上面図、（ｂ）は側面図である。図２は同冷蔵庫の圧縮機取り付け用のワッシャー組込みボルトを示す拡大斜視図、図３は同冷蔵庫の圧縮機とベースフレームとの固定関係を示す拡大断面図、図４（ａ）〜（ｅ）は同冷蔵庫における圧縮機の取り付け手順を説明する断面図である。
【００２６】
図１〜図４において、１０２は圧縮機、１０３は圧縮機１０２を取り付けたベースフレーム、１０４は前記圧縮機１０２を支持するグロメット、１０５はグロメット１０４内に挿着したスリーブ、１０６はスリーブ１０５を位置決め固定するワッシャー、１０７は前記スリーブ１０５内を通して前記ベースフレームに締め付け固定したボルト、１０８はグロメット１０４を抜け止め固定するＣリングである。
【００２７】
圧縮機１０２は、従来の圧縮機同様、下部に支持部１０２ａが形成され、図３に示すようにその支持部１０２ａにはグロメット１０４を取り付ける取り付け穴１０２ｂが形成されている。ベースフレーム１０３のボルト挿入孔１０３ａは、バーリング加工が施され、その内径部はネジ加工されている。また、グロメット１０４は、ゴムなどの緩衝材料で形成され、内部にスリーブ１０５が挿入される貫通孔１０４ａと、外径部には圧縮機１０２の取り付け穴１０２ｂが取り付く括れ部１０４ｂを有している。
【００２８】
ボルト１０７は、図２に示すように、六角頭部１０７ａとネジ部１０７ｂの間に中間径部１０７ｃが形成され、中間径部１０７ｃの直径は六角頭部１０７ａの六角２面幅より小さく、ネジ部１０７ｂのネジ外径より大きい。そして、六角頭部１０７ａの外形はグロメット１０４の貫通孔１０４ａ内径より小さい。また、本ボルト１０７はワッシャー組込ボルトで、ネジ加工する際に予めワッシャー１０６が装填されている。
【００２９】
またワッシャー１０６は内径部をバーリング加工しており、バーリング部１０６ａの外径はスリーブ１０５の内径より小さい。さらに、ワッシャー１０６のフラット部１０６ｂの外径は、グロメット１０４の貫通孔１０４ａ内径より小さい。
【００３０】
Ｃリング１０８は、ばね材料であり名のごとくＣ形状をしている。詳細図示は省略する
が、Ｃ形状の切り欠き開口部は挿入する軸径より小さい。切り欠き奥部は挿入する軸外径部と嵌合するような略円弧形状となっている。後述するが、Ｃリングは軸部に対して水平方向に挿入するが、その際切り欠き開口部が弾性変形状態で一旦開き、切り欠き奥部に到達すると切り欠き開口部が閉じ、軸部に固定される（水平方向）。
【００３１】
この実施の形態で用いるＣリング１０８は、図３に示すように、その外径がスリーブ１０５の外径より大きく、Ｃリング１０８が装着されることでグロメット１０４が外れないように保持され（垂直方向）、圧縮機１０２がベースフレーム１０３に固定される。すなわち、このＣリング１０８が従来例で述べたワッシャーの機能を果たすものである。
【００３２】
次に、図４を用いて、圧縮機１０２のベースフレーム１０３への取り付け手順を説明する。
（ａ）ワッシャー１０６付きボルト１０７をスリーブ１０５に挿入する。その際、ワッシャー１０６のバーリング部１０６ａがスリーブ１０５の内周面に嵌合してボルト１０７に対するスリーブ１０５のふらつきを防止する。
（ｂ）上記（ａ）のセットを、インパクトレンチでベースフレーム１０３のボルト挿入孔１０３ａに取り付ける。
（ｃ）上記（ｂ）の状態に、グロメット１０４を取り付ける。ボルト１０７の六角頭部１０７ａ及びワッシャー１０６のフラット部１０６ｂ外径がグロメット１０４の貫通孔１０４ａ内径より小さいので、ベースフレーム１０３に取り付けたままボルト１０７の上部からグロメット１０４を挿入装着する。
（ｄ）圧縮機１０２の支持部１０２ａの取り付け穴１０２ｂをグロメット１０４の括れ部１０４ｂに嵌め込んで圧縮機１０２を取り付ける。
（ｅ）Ｃリング１０８を、ボルト１０７の中間径部１０７ｃに横方向から嵌め込んで取り付ける。Ｃリング１０８の外径がスリーブ１０５の外径より大きいので、グロメット１０４が外れないようにボルト１０７に保持され、圧縮機１０２がベースフレーム１０３に固定される。
【００３３】
以上の手順で圧縮機１０２をベースフレーム１０３に取り付ける。
【００３４】
上記手順から明らかなようにこの冷蔵庫の構成によれば、圧縮機１０２をベースフレーム１０３に設置する前の段階でボルト１０７をベースフレーム１０３に締め付け固定することができる。すなわち図４で示す（ｂ）作業のインパクトレンチ作業の際に圧縮機１０２が存在せず、ボルト１０７を単独で締め付け作業できる。そのため、容易に上記インパクトレンチ作業を行うことができる。しかも、グロメット１０４の外れ防止を行う部材をＣリング１０８としているので、Ｃリング１０８取り付け時に圧縮機１０２が存在していても、Ｃリング１０８は当該圧縮機１０２の本体横方向からボルト１０７の中間径部１０７ｃに嵌め込むことができるので、その作業も容易に行うことができる。
【００３５】
加えて、圧縮機１０２の設置前にボルト１０７の締め付け作業が行えるので、ボルト１０７の締め付け位置を圧縮機本体の投影面積内になるようにコンパクト化してもボルト締め付けは容易にでき、かつ、Ｃリング１０８の装着も圧縮機本体の横方向から容易に行うことができるので、圧縮機取り付けスペースをコンパクト化できる。すなわち、圧縮機１０２の支持部１０２ａを圧縮機本体の投影面積から大きく外方に突出させなくても圧縮機１０２をベースフレーム１０３に容易に取り付けることができ、圧縮機取り付け面積のコンパクト化を実現することができる。その結果、冷蔵庫であれば、圧縮機設置面積をコンパクト化した分、冷蔵庫容積を大きくすることができる。
【００３６】
さらに、図４で示す手順（ｂ）作業の際、ワッシャー１０６のバーリング部１０６ａ外径部がスリーブ１０５の内径部に嵌りあっていることにより、スリーブ１０５の位置がボ
ルト１０７のセンター位置から大きくずれるようなことが防止できる。これによって、（ｄ）の圧縮機１０２の支持部１０２ａの取り付け穴１０２ｂをグロメット１０４に取り付ける作業において、スリーブ１０５に装着したグロメット１０４が複数（４箇所）ある取り付け穴１０２ｂのピッチに対して、大きくずれることがないので、作業性が良くなる。
【００３７】
以上のように本実施の形態においては、グロメット１０４と、前記グロメット１０４の貫通孔１０４ａに取り付けられるスリーブ１０５と、バーリング部１０６ａの外径がスリーブ１０５の内径より小さく、フラット部１０６ｂの外径がグロメット１０４の貫通孔１０４ａ内径より小さいワッシャー１０６と、六角頭部１０７ａとネジ部１０７ｂの間に中間径部１０７ｃを有し、その直径が六角頭部１０７ａの六角２面幅より小さく、ネジ部１０７ｂのネジ径より大きいボルト１０７と、ボルト１０７の中間径部１０７ｃに嵌合するＣリング１０８によって圧縮機１０２をベースフレーム１０３に保持することにより、その取り付け作業を容易に行うことができ、しかも圧縮機設置スペースを小さくできることによって冷蔵庫容積を増大させることができる冷蔵庫を提供することができる。
【００３８】
なお、上記実施の形態では冷凍機器として冷蔵庫を例にして説明したが、圧縮機を取り付ける冷凍機器であればどのようなものであっても良く、ショーケース、自動販売機等にも適用することができる。
【産業上の利用可能性】
【００３９】
以上のように本発明は、圧縮機の取り付け作業を容易に行うことができ、冷蔵庫やショーケース等、圧縮機を用いる冷凍機器に幅広く適用することができる。
【符号の説明】
【００４０】
１０２  圧縮機
１０２ａ  支持部
１０２ｂ  取り付け穴
１０３  ベースフレーム
１０３ａ  ボルト挿入孔
１０４  グロメット
１０４ａ  貫通孔
１０４ｂ  括れ部
１０５  スリーブ
１０６  ワッシャー
１０６ａ  バーリング部
１０６ｂ  フラット部
１０７  ボルト
１０７ａ  六角頭部
１０７ｂ  ネジ部
１０７ｃ  中間径部
１０８  Ｃリング
【図１】
2014115029.tif 000003
【図２】
2014115029.tif 000004
【図３】
2014115029.tif 000005
【図４】
2014115029.tif 000006
【図５】
2014115029.tif 000007
【図６】
2014115029.tif 000008
【図７】
2014115029.tif 000009
【図８】
2014115029.tif 000010